(57)【特許請求の範囲】
【請求項１】
懐中電灯ケーシング（１６）と、
光源と、
照射された円すい状の光線の焦点合わせのために前記光源に対して相対的に長手軸方向へ変位可能なアタッチメント光学素子（２０）を備えたランプヘッド（１４）と、
選択可能な長手軸方向の位置における前記ランプヘッド（１４）の固定のためにクランプ装置（１）とを備えて成る懐中電灯（３）において、前記クランプ装置（１）が、端部側に配置されて径方向へ向けられた少なくとも１つの揺動可能又は拡開可能なクランプ要素（１１，１１’）を備えた、当該懐中電灯（３）の長手軸周りに回転可能なクランプ本体部（２）を有し、前記クランプ要素（１１，１１’）が前記クランプ本体部（２）の回転時に上向き面（７，７’）上を滑動し、該上向き面（７，７’）が、前記クランプ要素（１１，１１’）が前記クランプ本体部（２）の回転に付随して径方向に揺動又は拡開されるよう配置されていることが設けられていることを特徴とする懐中電灯。
【請求項２】
前記ランプヘッド（１４）が摩擦結合式又は係合式の固定部によって特徴付けられた請求項１記載の懐中電灯。
【請求項３】
ａ）前記上向き面（７，７’）が当該懐中電灯（３）の周囲線に対して平行に配置されているとともに、前記クランプ要素（１１，１１’）が先細状に形成されているか、又はｂ）前記上向き面（７，７’）が当該懐中電灯（３）の周囲線に対して角度をもって配向されているとともに、前記クランプ要素（１１，１１’）が一定の厚さ（１５）を有している
ことを特徴とする請求項１または２に記載の懐中電灯。
【請求項４】
前記クランプ要素（１１，１１’）が、その径方向への揺動時に、前記ランプヘッド（１４）が摩擦結合式に支持されるよう該ランプヘッド（１４）の内面へ押圧することを特徴とする請求項１〜３のいずれか１項に記載の懐中電灯。
【請求項５】
前記クランプ本体部（２）が連行部材（１２）を備えており、該連行部材が前記ランプヘッド（１４）の溝（１３）へ係合することで前記クランプ本体部（２）が前記ランプヘッド（１４）の回転により回転可能であることを特徴とする請求項１〜４のいずれか１項に記載の懐中電灯。
【請求項６】
前記クランプ装置（１）がクランプ状態において係合位置へ移行可能であり、このために、特にクランプ要素（１１，１１’）である前記クランプ本体部（２）及び／又は前記上向き面（７，７’）が溝（１３）及び／又は対応する突起部（１９，１９’）を有していることを特徴とする請求項１〜５のいずれか１項に記載の懐中電灯。
【請求項７】
前記クランプ本体部（２）が、複数のクランプ要素（１１，１１’）を有していることを特徴とする請求項１〜６のいずれか１項に記載の懐中電灯。
【請求項８】
懐中電灯ケーシング（１６）と、
光源と、
照射された円すい状の光線の焦点合わせのために前記光源に対して相対的に長手軸方向へ変位可能なアタッチメント光学素子（２０）を備えたランプヘッド（１４）と、
選択可能な長手軸方向の位置における前記ランプヘッド（１４）の固定のためにクランプ装置（１）とを備えて成る懐中電灯において、前記クランプ装置が円筒状の結合部材（４１）であり、該結合部材が、係合式に前記ランプヘッド（１４）に結合されているとともに、前記懐中電灯ケーシング（１６）上で摺動可能に配置され、前記結合部材（４１）が径方向において下向き傾斜路（４６）を備えており、該下向き傾斜路が、ランプヘッド側の上向き傾斜路（４６）に当接しているとともに、前記ランプヘッド（１４）に対する相対的な回転運動に基づき、前記結合部材（４１）への前記ランプヘッド（１４）の長手軸方向の変位が生じることを特徴とする懐中電灯。
【請求項９】
係合式の前記結合が前記結合部材（４１）における突出部（４９）によって形成されており、該突出部が、前記ランプヘッドにおける上向き面に当接する下向き面を背面側に備えていることを特徴とする請求項８記載の懐中電灯。
【請求項１０】
前記ランプヘッド（１４）と前記結合部材（４１）の間の長手軸方向の変位において、前記結合部材（４１）の当接面が、前記懐中電灯ケーシング（１６）と共に摩擦結合式の結合部を形成していることを特徴とする請求項８または９に記載の懐中電灯。
【請求項１１】
前記ランプヘッド（１４）が複数のガイド要素を有しており、これにより、前記ランプヘッド（１４）と前記懐中電灯ケーシング（１６）の間の回転運動が阻止されていることを特徴とする請求項８〜１０のいずれか１項に記載の懐中電灯。
【請求項１２】
懐中電灯ケーシング（１６）と、
光源と、
照射された円すい状の光線の焦点合わせのために前記光源に対して相対的に長手軸方向へ変位可能なアタッチメント光学素子（２０）を備えたランプヘッド（１４）と、
選択可能な長手軸方向の位置における前記ランプヘッド（１４）の固定のためにクランプ装置（１）とを備えて成る懐中電灯において、前記クランプ装置が円筒状の結合部材（５１）であり、該結合部材（５１）がネジ結合部（５２）を介して前記ランプヘッド（１４）に結合され、前記結合部材（５１）と前記ランプヘッド（１４）の間の長手軸方向の相対的な運動によって、下向き面（５４）が上向き面（５５）上で滑動するとともに、クランプ要素（５３）が前記懐中電灯ケーシング（１６）に対する摩擦結合式の結合部を形成していることを特徴とする懐中電灯。
【請求項１３】
前記結合部材（５１）が長手軸方向に突出したクランプ要素（５３）を備えており、該クランプ要素の前側において、ランプヘッド側の上向き面（５５）に当接するそれぞれ傾斜した下向き面（５４）が形成されていることを特徴とする請求項１２記載の懐中電灯。
【請求項１４】
前記ランプヘッド（１４）が複数のガイド要素を有しており、これにより、前記ランプヘッド（１４）が前記懐中電灯ケーシング（１６）に対して回転運動しないようになっていることを特徴とする請求項１２または１３に記載の懐中電灯。
【請求項１５】
懐中電灯ケーシング（１６）と、
光源と、
照射された円すい状の光線の焦点合わせのために前記光源に対して相対的に長手軸方向へ変位可能なアタッチメント光学素子（２０）を備えたランプヘッド（１４）と、
選択可能な長手軸方向の位置における前記ランプヘッド（１４）の固定のためにクランプ装置（１）とを備えて成る懐中電灯において、前記クランプ装置が、係止要素（６３）の溝（６２）へ係合する複数のクランプ要素（６１）によって形成され、前記クランプ要素（６１）が前記係止要素（６３）により到達される凹部（６６）を有しており、前記クランプ要素（６１）の部分面が、ばねの力によって前記係止要素（６３）の前記溝（６２）へ保持され、したがって、係止位置に保持され、前記クランプ要素（６１）が前記ランプヘッド（１４）内に配置されているとともにばねの力に抗して係合解除された位置へ移行可能であり、これにより、前記ランプヘッド（１４）が長手軸方向へ変位可能であることを特徴とする懐中電灯。
【請求項１６】
前記係止要素（６３）が、ピン状に形成されているとともに、前記懐中電灯ケーシング（１６）に結合された接続部材（６４）の一部であることを特徴とする請求項１５記載の懐中電灯。
【請求項１７】
少なくとも４つのクランプ要素（６１）が設けられており、これにより、長手軸方向の位置にかかわらず少なくとも２つのクランプ要素（６１）がばねの力によって係合することを特徴とする請求項１５または１６に記載の懐中電灯。
【発明の詳細な説明】
【技術分野】
【０００１】
本発明は、ケーシングと、光源と、照射された円すい状の光線の焦点合わせのために前記光源に対して相対的に長手軸方向へ変位可能なアタッチメント光学素子を備えたランプヘッドとを備えて成る懐中電灯に関するものである。
【背景技術】
【０００２】
このような懐中電灯は、従来技術に基づきすでに知られている。例えば特許文献１には、照明体がリフレクタのパラボロイドの焦点にある場合に、本質的に平行な光ビームを発出する照明装置が記載されている。このビームは、電球及びバッテリケーシングを照明ヘッド及びリフレクタに対して軸方向へ変位させることによって変化し得る。このような軸方向の変位は、シリンダスリーブがバッテリケーシングに対して軸方向へ移動することによりなされる。この軸方向の移動は、単純な軸方向の摺動又はねじ若しくは傾斜スリットガイドシステムと協働した回転運動によってなされ、このとき、例えば傾斜したスリットは、バッテリケーシングに配置されたピンが係合する照明ヘッドに設けられている。
【先行技術文献】
【特許文献】
【０００３】
【特許文献１】独国特許発明第２９５０８５０号明細書
【発明の概要】
【発明が解決しようとする課題】
【０００４】
しかしながら、このような懐中電灯においては、ランプヘッドあるいはリフレクタと光源の間の相対位置の調整ができる限りスムーズであるべきだが、これにより、ランプヘッドあるいはリフレクタと光源の間の相対位置が軽い衝撃で不意にずれてしまうことがあり、これにより、調整された焦点がずれてしまうという欠点がある。特に、継続的に衝撃を受ける自転車用のランプにおいては、この問題を頻繁に気にかけるべきである。
【０００５】
したがって、本発明の目的とするところは、一方では光源に対するリフレクタのスムーズな変位を可能とするとともに、他方では調整された焦点の不意のずれを防止する懐中電灯を提供することにある。
【課題を解決するための手段】
【０００６】
上記目的は、本発明に基づき、選択可能な長手軸方向の位置におけるランプヘッドの固定のためにクランプ装置を有する請求項１に基づく懐中電灯によって達成される。これにより、好ましくは、スムーズで、正確に調整可能な焦点化機構をランプヘッドの固定可能性に結び付ける可能性が達成される。したがって、調整された焦点がずれることがない。
【０００７】
本発明の好ましい実施形態が以下に、及び従属請求項に記載されている。ここで、本発明は、本質的に４つの実施例を含んでいるが、これに限定されるものではない。
【０００８】
第１の実施例：
第１の好ましい実施形態によれば、ランプヘッドの摩擦結合式又は係合式の固定部が設けられており、クランプ装置は、好ましくはケーシングに対するランプヘッドの回転運動を介して操作可能となっている。したがって、ランプヘッドの長手軸方向の変位によって焦点位置が容易かつ精確に調整されることが可能であり、この位置は、ランプヘッドの回転運動によって固定されることができる。両調整は片手で行うことができ、これにより、懐中電灯の操作性が更に高まる。これに代えて、光源に対するリフレクタの長手軸方向への変位が回転運動によって生じ、また、ランプヘッドの長手軸方向への変位によって固定がなされる構造も考えられる。これについて、例えば拡張円すい（Ｓｐｒｅｉｚｋｏｎｕｓ）の使用が適している。
【０００９】
本発明の好ましい実施形態によれば、クランプ装置は、懐中電灯の長手軸周りに回転可能な、端部に配置されつつ径方向へ向けられた揺動可能又は拡張可能な少なくとも１つのクランプ要素を備えたクランプ本体部を有している。好ましくは、上向き面上でのクランプ本体部の回転時にクランプ要素がスライドする。ここで、前記上向き面は、クランプ本体部の径方向での回転が増大するのに伴いクランプ要素が更に揺動又は拡張するよう配置されている。これについて、上向き面が一方では懐中電灯の周囲ラインに対して平行に配置されているとともにクランプ要素が先細状に形成されているか、又は上向き面が懐中電灯の周囲ラインに対して角度をもって配向されているとともに、クランプ要素が一定の厚さを有している。当然、クランプ要素がクランプ本体部の増加する回転に伴い径方向へ更に揺動又は拡張され、この結果、そのクランプ機能が満たされることが保障される限り、上記の事項の組合せも考えられる。
【００１０】
懐中電灯の組み立てられた状態において、ランプヘッドは、クランプ装置を包囲するため、クランプ装置とランプヘッドの間にはリング状の隙間が生じる。クランプ要素が径方向には揺動又は拡張しない限り、ランプヘッドは長手軸方向へ可動であるため、所望の焦点位置が調整され得る。しかしながら、ランプヘッドの回転運動により、クランプ要素が、好ましくは、クランプ要素がランプヘッドの内周面へ押圧され、これによりランプヘッドが摩擦結合的に固定されるよう閉方向に揺動される。
【００１１】
クランプ本体部及びクランプ要素を回転できるよう、本発明の好ましい実施形態によれば、クランプ本体部が連行要素を備えており、この連行要素は、ランプヘッドの溝に係合し、これにより、クランプ本体部がランプヘッドの回転により回転可能となっている。
【００１２】
強い衝撃時にもクランプ装置が調整された位置を維持するよう、好ましくは、クランプ装置が係止位置へ移行可能となっている。このために、特にクランプ要素であるクランプ本体部及び／又は上向き面が、溝及び／又は対応する係止突起を備えている。換言すれば、クランプ装置は、所定の張り出した回転角度において係止位置へ係合し、この結果、ランプヘッドが不意に固定されていない位置へ復帰することがない。
【００１３】
本発明は、唯一のクランプ要素を有するクランプ本体部に限定されるものではなく、好ましくは２つである複数のクランプ要素を備えたクランプ本体部が設けられてもいる。クランプ本体部及び特にクランプ要素は、合成樹脂射出成型部品として形成されている。
【００１４】
第２の実施例
第２の実施例においては、クランプ装置が好ましくは円筒状の結合部材を備えており、この結合部材は、係合式にランプヘッドに結合されているとともに、懐中電灯ケーシング上で摺動可能に配置されている。換言すれば、この結合部材は懐中電灯ケーシングを含んでいるため、懐中電灯ヘッドは、懐中電灯ケーシングに対して長手軸方向へ摺動可能となっている。結合部材と懐中電灯ヘッドの間の結合は好ましくは結合部材における突起部の形態の係合式の結合部によって形成されており、この突起部は後方への下向き面を備えていて、この下向き面は、ランプヘッドにおける上向き面に接触している。この特別な形態により、一方では長手軸方向の移動のための連行部材が形成され、他方ではクランプ装置が得られる。なぜなら、径方向における結合部材が移行傾斜路を備えているためであり、この移行傾斜路は、ランプヘッド側の移行傾斜路に接触しているとともに、ランプヘッドに対する相対的な回転運動に基づき結合部材に対するランプヘッドの長手軸方向の変位をするものである。すなわち、このような移動においては、結合部材の下向き面は、ランプヘッドの上向き面上で移動し、その接触面において懐中電灯ケーシングへ摩擦結合的に押圧される。結合部材の回転時にランプヘッドも回転してしまうのを回避するために、ランプヘッドが好ましくはガイド要素を有しており、ランプヘッドと懐中電灯ケーシングの間の回転運動を阻止する。
【００１５】
クランプ装置のこの実施形態は、懐中電灯に特に良好に適している。なぜなら、必要な部材が簡易かつ安価に生産可能であるとともに、容易に取付可能である上、ランプヘッドの確実な固定が可能であるためである。
【００１６】
第３の実施例
第３の実施例によれば、クランプ装置は好ましくは円筒状の結合部材として形成されており、この結合部材は、ねじ結合部を介してランプヘッドに結合されている。好ましくは、この結合部材が長手軸方向へ突出したクランプ要素を備えており、このクランプ要素の前側においては、それぞれ傾斜した下向き面が形成されている。ここで、この下向き面は、ランプヘッド側の上向き面に接触している。所望のクランプ作用を調整するために、結合部材は、ランプヘッドへ螺着されている。その結果、結合部材とランプヘッドの間の軸方向の相対移動によって下向き面が上向き面上でスライドし、クランプ要素が懐中電灯ケーシングに対する摩擦式の結合を形成する。結合部材の回転時にランプヘッドが共に回転しないよう懐中電灯の共回りを防止する垣外要素が懐中電灯ケーシングに設けられている。
【００１７】
第４の実施例
最後に、他の実施形態によれば、クランプ装置は複数のクランプ要素によって形成されており、これらクランプ要素は、係止要素の溝に係合するものである。好ましくは、係止要素は、ピン状に形成されているとともに、ケーシングに結合された結合部材の一部である。本発明の好ましい実施形態によれば、クランプ要素が凹部を有しており、この凹部は、係止要素によって貫通されている。このとき、クランプ要素の部分面は、ばねの力によって係止要素の溝で、すなわち係止された位置で保持される。好ましくは、ばねは、クランプ要素に一体的に結合されているとともに、板ばねとして形成されている。この板ばねは、懐中電灯ヘッドの外側における始端部で支持されている。クランプ要素はランプヘッドにおいてばねの力に抗して係止解除された位置へ移行可能であり、この結果、ランプヘッドが長手軸方向へ変位可能となる。このとき、好ましくは少なくとも４つのクランプ要素が設けられており、これにより、ランプヘッドの軸方向の位置に無関係に少なくとも２つのクランプ要素がばねの力によって係合する。これにより、記載されたクランプ装置は、容易に操作可能で無段階の懐中電灯の焦点合わせのための調整可能性を獲得する。
【００１８】
本発明の他の好ましい実施形態及び具体的な構成は、以下において図面に基づき説明される。
【発明の効果】
【００１９】
本発明によれば、一方では光源に対するリフレクタのスムーズな変位を可能とするとともに、他方では調整された焦点の不意のずれを防止する懐中電灯を提供することが可能である。
【図面の簡単な説明】
【００２０】
【図１】クランプ装置の概略を示す平面図である。
【図２ａ】ランプヘッド及びクランプ装置を備えた懐中電灯の分解図である。
【図２ｂ】組み立てられた状態におけるクランプ装置を備えた懐中電灯を示す図である。
【図３】組み立てられた状態におけるクランプ装置を備えた懐中電灯の断面図である。
【図４ａ】結合部材を備えたクランプ装置を示す図である。
【図４ｂ】結合部材を備えたクランプ装置を示す図である。
【図４ｃ】結合部材を備えたクランプ装置を示す図である。
【図５ａ】結合部材を備えたクランプ装置の他の実施例を示す図である。
【図５ｂ】結合部材を備えたクランプ装置の他の実施例を示す図である。
【図６ａ】複数のクランプ要素を有するクランプ装置を備えた懐中電灯を示す図である。
【図６ｂ】複数のクランプ要素を有するクランプ装置を備えた懐中電灯を示す図である。
【図６ｃ】複数のクランプ要素を有するクランプ装置を備えた懐中電灯を示す図である。
【図６ｄ】複数のクランプ要素を有するクランプ装置を備えた懐中電灯を示す図である。
【図６ｅ】複数のクランプ要素を有するクランプ装置を備えた懐中電灯を示す図である。
【図６ｆ】複数のクランプ要素を有するクランプ装置を備えた懐中電灯を示す図である。
【発明を実施するための形態】
【００２１】
以下に本発明の実施の形態を添付図面に基づいて説明する。
【００２２】
＜実施の形態１＞
本発明の具体的な実施形態によれば、クランプ装置１が、懐中電灯３の長手軸Ａ周りに回転可能に支持されたクランプ本体部２を備えている。ここで、クランプ装置１は台座５上に載置されており、この台座上には中央位置において好ましくはＬＥＤ２１である光源が配置されている。さらに、台座５上には２つの腎臓状の要素６，６’が配置されており、これら腎臓状の要素は、２種類の機能を果たすものである。一方では腎臓状の要素６，６’の外面部が上向き面７，７’として形成され、他方では、腎臓状の要素６，６’は、アタッチメント光学素子２０のためのクランプ装置１をカバーするカバープレート８（図２参照）のためのスペーサとしての役割を果たす。
【００２３】
クランプ本体部２は、本質的に懐中電灯３の直径に沿って配置されたウェブ９で構成されており、ＬＥＤ２１の引き込み線のために中央の凹部１０が設けられている。径方向には２つのクランプ要素１１，１１’がウェブ９において揺動可能に配置されており、これらクランプ要素は、上向き面７，７’に当接している。さらに、クランプ本体部２は径方向に突出した連行部材１２を備えており、この連行部材は、組み立てられた状態でランプヘッド１４の溝１３に係合するようになっている。図示の実施形態においては、ランプヘッド１４とケーシング１６あるいは台座５の間に環状隙間１７が形成されているため、ランプヘッド１４が長手軸方向（矢印４）へ変位することができるようになっている。しかし、クランプ要素１１，１１’が次第に増大する厚さ１５，１５’を有しており、これらクランプ要素１１，１１’が腎臓状の要素６，６’によって外側へ押圧されるとともに環状隙間１７を部分的に閉鎖するため、ランプヘッド１４が時計回り（矢印１８）に回転される限り、クランプ要素１１，１１’がランプヘッド１４の円筒内面に対して押し付けられる。クランプ要素１１，１１’をランプヘッド１４の内面に押し付ける力は、このランプヘッドを固定するのに十分なものとなっている。また、クランプ装置１が図１に示された固定されていない位置へ不意に復帰しないように、クランプ要素１１，１１’は複数の突起部を備えており、これら突起部は、腎臓状の要素６，６’と共に係合された位置を形成する。したがって、固定された位置は、ランプヘッド１４及びこれに伴うクランプ本体部２の積極的な逆回転によってのみ離間され得る。
【００２４】
図２ａには、懐中電灯３の分解斜視図がケーシング１６、ランプヘッド１４、台座５クランプ本体部２及びカバープレート８と共に示されている。組み立てられた状態（図２ｂ参照）においては、クランプ装置１あるいはクランプ本体部２が台座５とカバープレート８の間に収容されている。
【００２５】
本発明による懐中電灯の機能は、図３の断面図から認識し得る。懐中電灯ケーシング１６は、その前端部において台座５を備えており、この台座は、離間しつつカバープレート８に結合されている。カバープレート８と台座５の間には、クランプ要素１１，１１’を有するクランプ装置１が配置されている。懐中電灯ケーシング１６、台座５、クランプ装置１及びカバープレート８は、ランプヘッド１４によって包囲されており、このランプヘッドの端面側にはアタッチメント光学素子２０が配置されている。不図示の位置においては、ランプヘッド１４がＬＥＤ２１に関して長手軸方向に変位可能となっており、これにより、所望の焦点位置を選択することが可能である。懐中転動の長手軸Ａ周りの（矢印１８方向への）ランプヘッド１４の回転時には、長手軸方向への変位（矢印１７）が効果的に防止されるよう、クランプ要素１１，１１’がランプヘッド１４の円筒内面に対して押圧される。この状態においては、調整された焦点位置が不意に狂うことがない。
【００２６】
＜実施の形態２＞
他の具体的な実施例が、図４ａ〜図４ｃに示されている。クランプ装置は円筒状の結合部材４１として形成されており、この結合部材は、係合式にランプヘッド１４に結合されている。このとき、ランプヘッド１４及び結合部材４１はその上向き面４２あるいは下向き面４３に当接しており、下向き面４３は、突出部４９の背面側に形成されている。結合部材４１と懐中電灯ヘッド１４の間の長手軸方向への変位により、下向き面４３が上向き面４２上で矢印方向４４へ進行する。そのため、結合部材４１は、この箇所で矢印方向４５へ、摩擦による当接に至るまで懐中電灯ケーシング１６に押圧される。これにより、ランプヘッド１４が選択可能な長手軸方向位置において容易に固定され得る。
【００２７】
図４ｂには懐中電灯が分解図において示されており、この図において、組み立てた状態で当接する結合部材側の下向き傾斜路４６及び懐中電灯ヘッド側の上向き傾斜路４６が認識し得る。結合部材４１と懐中電灯ヘッド１４の間の相対回転運動時には、これらが互いに長手軸方向に矢印方向４４へ変位し、この結果、結合部材４１が締め付けられてロックされる。ランプヘッド１４が結合部材４１の回転時に付随して回転しないよう、（不図示の）複数のガイド要素が設けられている。
【００２８】
図４ｃには、組み立てられた状態での懐中電灯の実施形態が示されている。結合部材４１を手によっても操作できるよう、親指のための当接部としての役割を果たす連行部材４８が設けられている。
【００２９】
＜実施の形態３＞
他の具体的な実施形態によれば、クランプ装置が円筒状の結合部材５１として形成されており、この結合部材は、ネジ結合部５２を介してランプヘッド１４に結合可能となっている。この結合部材５１は、複数のクランプ要素５３を有しており、このクランプ要素の前側には、下向き面５４が形成されている。図５ｂにおいては、結合部材５１が懐中電灯ヘッドと共に矢印方向４４へ変位可能であることが明確に認識し得る。ただし、結合部材５１は、回転運動によって更にランプヘッド１４へ螺着されることが可能である。その結果、下向き面５４が上向き面５５上で進行するとともに、摩擦による結合に至るまで、結合部材５１が懐中電灯ケーシング１６へ押圧される。この実施形態においても、ランプヘッド１４の付随した回転を防止する、（不図示の）複数のガイド要素を設けられている。
【００３０】
＜実施の形態４＞
懐中電灯ケーシング１６に対する選択可能な相対位置におけるランプヘッド１４の着脱可能な固定のためのクランプ装置の他の具体的な実施例が図６ａ〜図６ｆに示されている。図示の実施例において、このクランプ装置は４つのクランプ要素６１で形成されており、これらクランプ要素は、ピン状の係止要素６３の溝６２に係合している。この係止要素６３は結合部材６４の一部として構成されており、この結合部材６４は、ネジ部分６５を介して懐中電灯ケーシング１６に結合されている。クランプ要素６１は、懐中電灯ヘッド１４の凹部において層をなしているとともに、係止要素６３によって到達される中央の凹部６６を有している。また、クランプ要素６１は、くさび状の複数の面部分６７，６７’を備えており、これら面部分は、係止位置において係止要素６３の溝６２の壁部に当接するものとなっている。図示の実施例において４つのクランプ要素６１が設けられていることにより、長手軸方向位置とは無関係に、これらのうち少なくともそれぞれ２つが溝６２に係合し、その結果、長手軸方向への変位が阻止される。
【００３１】
図６ｂ及び図６ｃには、懐中電灯ケーシング１６あるいは結合部材６４についてのランプヘッド１４の２つの異なる相対位置と、クランプ要素６１の２つの異なる係止位置とが示されている。図６ｂにおいては中央の２つのクランプ要素６１が溝６２に係合する一方、図６ｃにおいては外側の２つのクランプ要素６１が係止位置に配置されている。矢印方向６８へのランプヘッドの長手軸方向の変位のために、クランプ要素６１は、これが矢印方向６９へばねの力に抗して押圧されることにより係止位置から離脱する必要がある。図６ｄ（平面図）には、中央の凹部６６及び板ばね６１１，６１１’を備えたクランプ要素６１の具体的な実施形態が示されており、これら板ばねは、組み立てられた状態において、懐中電灯ヘッド１４における突出部６１２，６１２’上で支持されている。
【００３２】
図６ｅ及び図６ｆの斜視図には、分解図（図６ｅ）における懐中電灯と、組み立てられた状態（図６ｆ）の懐中電灯とが示されている。図６ｆには、係止要素６３が親指で容易に押し下げられるようこの係止要素が位置決めされていることが明確に示されており、この結果、手で焦点合わせを行うことが可能である。
【符号の説明】
【００３３】
Ａ                懐中電灯の長手軸
１                クランプ装置
２                クランプ本体部
３                懐中電灯
４                長手軸方向
５                台座
６，６’          腎臓状の要素
７，７’          上向き面
８                カバープレート
９                ウェブ
１０              凹部
１１，１１’      クランプ要素
１２              連行部材
１３              溝
１４              ランプヘッド
１５，１５’      クランプ要素の厚さ
１６              ケーシング
１７              環状隙間
１８              時計回り
２０              アタッチメント光学素子
２１              ＬＥＤ
４１              結合部材
４２              上向き面
４３              下向き面
４４              矢印方向
４５              矢印方向
４６              下向き傾斜路
４７              上向き傾斜路
４８              連行部材
４９              突出部
５１              結合部材
５２              ネジ結合部
５３              クランプ要素
５４              下向き面
５５              上向き面
６１              クランプ要素
６２              溝
６３              係止要素
６４              結合部材
６５              ネジ部分
６６              凹部
６７，６７’      面部分
６８              矢印方向
６９              矢印方向
６１１，６１１’  板ばね
６１２，６１２’  突出部
【図１】
0005881819.tif 000002
【図２ａ】
0005881819.tif 000003
【図２ｂ】
0005881819.tif 000004
【図３】
0005881819.tif 000005
【図４ａ】
0005881819.tif 000006
【図４ｂ】
0005881819.tif 000007
【図４ｃ】
0005881819.tif 000008
【図５ａ】
0005881819.tif 000009
【図５ｂ】
0005881819.tif 000010
【図６ａ】
0005881819.tif 000011
【図６ｂ】
0005881819.tif 000012
【図６ｃ】
0005881819.tif 000013
【図６ｄ】
0005881819.tif 000014
【図６ｅ】
0005881819.tif 000015
【図６ｆ】
0005881819.tif 000016